【手続補正書】
【提出日】平成17年9月7日(2005.9.7)
【手続補正１】
【補正対象書類名】明細書
【補正対象項目名】特許請求の範囲
【補正方法】変更
【補正の内容】
【特許請求の範囲】
【請求項１】  ６３０ナノメートル以上６８０ナノメートル以下の波長を有する光ビームを用いて相変化方式により情報が記録及び再生される、蛇行しつつ連続して形成されているグルーブトラックを有する記録再生領域と、
６０ナノメートル以上９０ナノメートル以下の深さを有する複数の位相ピットが蛇行して予め形成されており、前記光ビームによる情報再生のみが可能な再生専用領域と、
を備えることを特徴とする情報記録媒体。
【請求項２】  請求項１に記載の情報記録媒体において、
前記位相ピットの深さが７０ナノメートル以上８０ナノメートル以下であることを特徴とする情報記録媒体。
【請求項３】  請求項１又は２に記載の情報記録媒体において、
前記再生専用領域を除く少なくとも前記記録再生領域内に、前記情報記録媒体上のアドレス情報を示すプリピットが形成されていることを特徴とする情報記録媒体。
【請求項４】  請求項１乃至３のいずれか一項に記載の情報記録媒体において、
蛇行して予め形成された複数の位相ピットを有すると共に前記光ビームによる情報の記録及び再生が共に不可能な不可能領域が、前記再生専用領域と前記記録再生領域との間の領域に更に形成されていることを特徴とする情報記録媒体。
【請求項５】  請求項４に記載の情報記録媒体において、
前記不可能領域内に前記プリピットが形成されていると共に、当該不可能領域内の前記プリピットにより示される前記アドレス情報は、前記情報記録媒体内における前記記録再生領域の先頭に対応する前記アドレス情報に基づいて設定されていることを特徴とする情報記録媒体。
【請求項６】  請求項１乃至５のいずれか一項に記載の情報記録媒体において、
前記グルーブトラックの深さが２０ナノメートル以上３５ナノメートル以下であることを特徴とする情報記録媒体。
【請求項７】  請求項４又は５に記載の情報記録媒体において、
前記不可能領域における前記位相ピットは、前記グルーブトラックの深さと略同一の深さを有することを特徴とする情報記録媒体。
【請求項８】  制御情報を担う第一の位相ピット列が形成されている第一のエンボスエリアと、
第二の位相ピット列が形成されている第二のエンボスエリアと、
蛇行しつつ連続して形成されており、情報が記録可能のグルーブトラックを有する情報記録領域と、を備え、
前記第一の位相ピット列を構成する位相ピットは、前記第二の位相ピット列を構成する位相ピットよりも深いピット深さを有することを特徴とする情報記録媒体。
【請求項９】  請求項８に記載の情報記録媒体において、
前記情報記録媒体はディスク形状であり、
前記第一のエンボスエリアと、前記第二のエンボスエリアと、前記情報記録領域と、は、それぞれ前記情報記録媒体のディスク半径方向においてそれぞれ異なる領域であり、
前記第一のエンボスエリアと前記第二のエンボスエリアとは、前記情報記録媒体における前記情報記録領域よりも半径方向内周側に位置することを特徴とする情報記録媒体。
【請求項１０】  請求項９に記載の情報記録媒体において、
前記第一のエンボスエリアは、前記情報記録媒体における前記第二のエンボスエリアよりも半径方向内周側に位置することを特徴とする情報記録媒体。
【請求項１１】  請求項８乃至１０のいずれか一項に記載の情報記録媒体において、
前記第二の位相ピット列を構成する位相ピット及び前記グルーブトラックの深さは、２０ナノメートル以上３５ナノメートル以下であることを特徴とする情報記録媒体。
【請求項１２】  請求項８乃至１１のいずれか一項に記載の情報記録媒体において、
前記第一の位相ピット列を構成する位相ピットの深さは、６０ナノメートル以上９０ナノメートル以下であることを特徴とする情報記録媒体。
【請求項１３】  請求項８乃至１２のいずれか一項に記載の情報記録媒体において、
前記グルーブトラックは、一定の周波数で蛇行していることを特徴とする情報記録媒体。
【請求項１４】  請求項８乃至１３のいずれか一項に記載の情報記録媒体において、
前記第一の位相ピット列及び前記第二の位相ピット列は、一定の周波数で蛇行していることを特徴とする情報記録媒体。
【請求項１５】  請求項８乃至１４のいずれか一項に記載の情報記録媒体において、
前記グルーブトラック、前記第一の位相ピット列及び前記第二の位相ピット列は、同一の一定周波数で蛇行していることを特徴とする情報記録媒体。
【請求項１６】  請求項８乃至１５のいずれか一項に記載の情報記録媒体において、
前記第二のエンボスエリア及び前記情報記録領域においては、前記第二の位相ピット列及び前記グルーブトラックに隣接して、アドレス情報を含むプリピットが形成されているとともに、
前記第一のエンボスエリアにおいては、前記プリピットが形成されていないことを特徴とする情報記録媒体。
【手続補正２】
【補正対象書類名】明細書
【補正対象項目名】００１１
【補正方法】変更
【補正の内容】
【００１１】
【課題を解決するための手段】
上記の課題を解決するために、請求項１に記載の発明は、６３０ナノメートル以上６８０ナノメートル以下の波長を有する光ビームを用いて相変化方式により前記情報が記録及び再生される、蛇行しつつ連続して形成されているグルーブトラックを有する記録再生領域と、６０ナノメートル以上９０ナノメートル以下の深さを有する複数の位相ピットが蛇行して予め形成されており、前記光ビームによる情報再生のみが可能な再生専用領域と、を備える。
【手続補正３】
【補正対象書類名】明細書
【補正対象項目名】００１５
【補正方法】変更
【補正の内容】
【００１５】
上記の課題を解決するために、請求項３に記載の発明は、請求項１又は２に記載の情報記録媒体において、前記再生専用領域を除く少なくとも前記記録再生領域内に、前記情報記録媒体上のアドレス情報を示すプリピットが形成されて構成される。
【手続補正４】
【補正対象書類名】明細書
【補正対象項目名】００２０
【補正方法】変更
【補正の内容】
【００２０】
よって、再生専用領域の存在に影響されずに正確に記録位置を把握しつつ記録再生領域に対して情報を記録することができる。
また、請求項６に記載の発明は、請求項１乃至５のいずれか一項に記載の情報記録媒体において、前記グルーブトラックの深さが２０ナノメートル以上３５ナノメートル以下である。
また、請求項７に記載の発明は、請求項４又は５に記載の情報記録媒体において、前記不可能領域における前記位相ピットは、前記グルーブトラックの深さと略同一の深さを有する。
また、請求項８に記載の発明は、制御情報を担う第一の位相ピット列が形成されている第一のエンボスエリアと、第二の位相ピット列が形成されている第二のエンボスエリアと、蛇行しつつ連続して形成されており、情報が記録可能のグルーブトラックを有する情報記録領域と、を備え、前記第一の位相ピット列を構成する位相ピットは、前記第二の位相ピット列を構成する位相ピットよりも深いピット深さを有することを特徴とする情報記録媒体である。
また、請求項９に記載の発明は、請求項８に記載の情報記録媒体において、前記情報記録媒体はディスク形状であり、前記第一のエンボスエリアと、前記第二のエンボスエリアと、前記情報記録領域と、は、それぞれ前記情報記録媒体のディスク半径方向においてそれぞれ異なる領域であり、前記第一のエンボスエリアと前記第二のエンボスエリアとは、前記情報記録媒体における前記情報記録領域よりも半径方向内周側に位置することを特徴とする情報記録媒体である。
また、請求項１０に記載の発明は、請求項９に記載の情報記録媒体において、前記第一のエンボスエリアは、前記情報記録媒体における前記第二のエンボスエリアよりも半径方向内周側に位置することを特徴とする情報記録媒体である。
また、請求項１１に記載の発明は、請求項８乃至１０のいずれか一項に記載の情報記録媒体において、前記第二の位相ピット列を構成する位相ピット及び前記グルーブトラックの深さは、２０ナノメートル以上３５ナノメートル以下である。
また、請求項１２に記載の発明は、請求項８乃至１１のいずれか一項に記載の情報記録媒体において、前記第一の位相ピット列を構成する位相ピットの深さは、６０ナノメートル以上９０ナノメートル以下である。
また、請求項１３に記載の発明は、請求項８乃至１２のいずれか一項に記載の情報記録媒体において、前記グルーブトラックは、一定の周波数で蛇行している。
また、請求項１４に記載の発明は、請求項８乃至１３のいずれか一項に記載の情報記録媒体において、前記第一の位相ピット列及び前記第二の位相ピット列は、一定の周波数で蛇行している。
また、請求項１５に記載の発明は、請求項８乃至１４のいずれか一項に記載の情報記録媒体において、前記グルーブトラック、前記第一の位相ピット列及び前記第二の位相ピット列は、同一の一定周波数で蛇行している。
また、請求項１６に記載の発明は、請求項８乃至１５のいずれか一項に記載の情報記録媒体において、前記第二のエンボスエリア及び前記情報記録領域においては、前記第二の位相ピット列及び前記グルーブトラックに隣接して、アドレス情報を含むプリピットが形成されているとともに、前記第一のエンボスエリアにおいては、前記プリピットが形成されていない。